(57)【要約】【課題】板状部材の縁を折り曲げて成る箱曲パネルユニットにおいて、建築躯体側に水が浸入することを防ぎ、かつ壁パネルの内側に浸入した水を適切に排水できるパネルユニットを得る。【解決手段】上側折曲板１１１と左側折曲板１１３との接続部分から浸入した雨水は、上側排水路１６１を経て左側排水路１６３まで浸入する。さらに、雨水は左側排水路１６３内を鉛直下方に落下し、下側排水路１６４に達する。ここで、上側排水路１６１、左側排水路１６３、及び下側排水路１６４は第１のシール部１７０及びシール部材１７１によって止水されているため、上側排水路１６１、左側排水路１６３、及び下側排水路１６４から雨水は外部にしみ出さない。そして、下側排水路１６４に設けられた排水口１８０から雨水が外部に排出される。【選択図】図４
2018204371.tif 000002
【特許請求の範囲】
【請求項１】
表面と裏面とを有する板状部材の縁を裏面側に折り曲げて成る箱曲パネルであって、折り曲げられた縁から成る折曲部と前記板状部材のうち前記折曲部以外の部位から成る壁面部とを有する箱曲パネルと、
前記壁面部の裏面及び前記折曲部の裏面の少なくとも一方と接触して前記箱曲パネルを支持する下地枠と、
前記壁面部及び前記折曲部の裏面と前記下地枠との間に形成される排水路と、
前記箱曲パネルの外部と前記排水路とを連通させる排水口とを備えるパネルユニット。
【請求項２】
前記壁面部の裏面と前記下地枠との間に第１のシール部が設けられる請求項１に記載のパネルユニット。
【請求項３】
前記下地枠は、前記折曲部の裏面を支持する立上支持部をさらに備える請求項１又は2に記載のパネルユニット。
【請求項４】
前記下地枠は、前記壁面部の裏面を支持する壁面支持部をさらに備える請求項１から３のいずれかに記載のパネルユニット。
【請求項５】
前記折曲部どうしの接続部分に設けられる第２のシール部をさらに備える請求項１から4のいずれかに記載のパネルユニット。
【発明の詳細な説明】
【技術分野】
【０００１】
本発明は、建築物の外壁に用いられるパネルユニットに関する。
【背景技術】
【０００２】
従来、主板部の四周に折曲片を連接した金属板製の壁パネルを、上下左右に複数枚配列して建築躯体に取り付け、隣り合う壁パネルの折曲片間にシーリング材を充填した壁パネルの取付構造が知られている。壁パネルの側部折曲片には切欠きが設けられ、左右に隣り合う壁パネル間の縦目地の壁パネル内側位置には上下方向に延びる雨樋が取付けられる。この雨樋の下端に向って上向きに関口する雨水受けが、その先端部を側部折曲片の切欠き内に挿入するように取り付けられる（特許文献１参照）。
【先行技術文献】
【特許文献】
【０００３】
【特許文献１】実開平３−９５４１２号明細書
【発明の概要】
【発明が解決しようとする課題】
【０００４】
ところで、主板部の四周に折曲片を連接する場合、折曲片どうしの間に隙間ができる。この隙間から壁パネルの内部、すなわち建築躯体側に水が浸入することを防ぐため、シール材等を用いて隙間を止水する必要がある。しかし、シール材等による止水では、十分に水の浸入を防げずに壁パネルの内部に水が浸入するとともに、壁パネルの内部に浸入した水を排水する必要がある。
【０００５】
本発明はこのような課題に鑑みてなされたものであり、板状部材の縁を折り曲げて成る箱曲パネルユニットにおいて、建築躯体側に水が浸入することを防ぎ、かつ壁パネルの内側に浸入した水を適切に排水できるパネルユニットを得ることを目的とする。
【課題を解決するための手段】
【０００６】
本願発明によるパネルユニットは、表面と裏面とを有する板状部材の縁を裏面側に折り曲げて成る箱曲パネルであって、折り曲げられた縁から成る折曲部と板状部材のうち折曲部以外の部位から成る壁面部とを有する箱曲パネルと、壁面部の裏面及び折曲部の裏面と接し、かつ壁面部の裏面及び折曲部の裏面の少なくとも一方で箱曲パネルを支持する下地枠と、前記壁面部及び折曲部の裏面と下地枠との間に形成される排水路と、箱曲パネルの外部と排水路とを連通させる排水口とを備えることを特徴とする。
【０００７】
パネルユニットは、壁面部の裏面と下地枠との間に第１のシール部が設けられることが好ましい。また、下地枠は、折曲部の裏面を支持する立上支持部をさらに備えることが好ましい。また、下地枠は、壁面部の裏面を支持する壁面支持部をさらに備えることが好ましい。これにより、下地枠が箱曲パネルを支持できる。パネルユニットは、折曲部どうしの接続部分に設けられる第２のシール部をさらに備えることが好ましい。
【発明の効果】
【０００８】
本発明によれば、板状部材の縁を折り曲げて成る箱曲パネルユニットにおいて、建築躯体側に水が浸入することを防ぎ、かつ壁パネルの内側に浸入した水を適切に排水できるパネルユニットが提供される。
【図面の簡単な説明】
【０００９】
【図１】建築物に取り付けられた複数のパネルユニットを外部側から見た図である。
【図２】図１のＩＩ−ＩＩ線における断面図である。
【図３】図１のＩＩＩ−III線における断面図である。
【図４】パネルユニットの斜視一部断面図である。
【符号の説明】
【００１０】
１００  パネルユニット
１１０  箱曲パネル
１１１  上側折曲板
１１２  右側折曲板
１１３  左側折曲板
１１４  下側折曲板
１１５  壁面部
１１６  シール材及びコーナーピース
１２０  下地枠
１２１  枠部
１２２  接続部材
１３０  支持枠
１７０  第１のシール部
１７１  シール部材
１８０  排水口
【発明を実施するための形態】
【００１１】
本発明による一実施形態によるパネルユニット１００について図１から図４を用いて説明する。
【００１２】
図１を参照すると、複数のパネルユニット１００は、ガラス入りユニット８００と共に建築物１０の躯体に取り付けられ、外壁として用いられる。以下、建築物１０に取り付けられた状態において鉛直方向に沿う長さを高さ、建築物１０の外壁面と平行かつ水平方向に沿う長さを幅、建築物１０の外壁面と直角かつ水平方向に沿う長さを厚さという。
【００１３】
図２及び３を参照すると、パネルユニット１００は、箱曲パネル１１０と、下地枠１２０と、第１のシール部１７０と、排水口１８０とを主に備える。
【００１４】
箱曲パネル１１０は、箱型に成型されたアルミ樹脂複合板から成る。より詳細に説明すると、箱曲パネル１１０は、表面と裏面とを有するアルミ樹脂複合板（板状部材）の四方の縁を裏面に向けて折り曲げて成る。折り曲げられた部位は折曲部、すなわち上側折曲板１１１、右側折曲板１１２、左側折曲板１１３、及び下側折曲板１１４を成し、アルミ樹脂複合板のうち上側折曲板１１１、右側折曲板１１２、左側折曲板１１３、及び下側折曲板１１４以外の部位は壁面部１１５を成す。上側折曲板１１１は、パネルユニット１００が建築物１０に取り付けられた状態において重力方向上方に位置し、下側折曲板１１４は重力方向下方に位置する。右側折曲板１１２は、室内から室外に向かって見たときに、箱曲パネル１１０の右側、つまり図１において箱曲パネル１１０の左側に位置し、左側折曲板１１３は、室内から室外に向かって見たときに、箱曲パネル１１０の左側、つまり図１において箱曲パネル１１０の右側に位置する。上側折曲板１１１、右側折曲板１１２、左側折曲板１１３、及び下側折曲板１１４に囲まれる平板は壁面部１１５を成す。
【００１５】
以下、箱曲パネル１１０において、上側折曲板１１１、右側折曲板１１２、左側折曲板１１３、下側折曲板１１４、及び壁面部１１５に囲まれた空間を箱曲パネル１１０の内側、これらに囲まれない空間を外側という。
【００１６】
隣接する折曲板どうしが成す内角、つまり上側折曲板１１１と右側折曲板１１２とが成す内角、上側折曲板１１１と左側折曲板１１３とが成す内角、右側折曲板１１２と下側折曲板１１４とが成す内角、及び左側折曲板１１３と下側折曲板１１４とが成す内角には、シール材及びコーナーピース１１６が各々取り付けられる。シール材は内角に充填されて、隣接する折曲板どうしの隙間を止水する。コーナーピースは、矩形の金属板を幅方向に走る２本の折曲線で鈍角を成すように曲げた形状を有し、充填されたシール材を覆うように箱曲パネル１１０の内側から取り付けられて、隣接する折曲板どうしが成す内角の形状を維持すると共に止水性を確保する。シール材及びコーナーピース１１６は第２のシール部を成すとともに、一次止水を成す。
【００１７】
排水口１８０は、下側折曲板１１４において壁面部１１５に近接する位置で下側折曲板１１４の厚さ方向に貫通する孔であって、箱曲パネル１１０の内側と外側とを接続、すなわち連通する。
【００１８】
下地枠１２０は、矩形断面を有する角筒状のアルミ形材を矩形環状に接続してなる枠部１２１と、枠部１２１の片面から枠部１２１の軸方向に延びる樹脂から成る接続部材１２２と、接続部材１２２に接続されて枠部１２１の軸方向に延びるアルミ材から成る支持枠１３０とを主に備える。枠部１２１の外周は、箱曲パネル１１０の外周と略同じ大きさである。接続部材１２２及び支持枠１３０は、枠部１２１の全周に渡って設けられる。
【００１９】
支持枠１３０は、上側立上支持部１３１、右側立上支持部１３２、左側立上支持部１３３、及び下側立上支持部１３４と、上側壁面支持部１４１、右側壁面支持部１４２、左側壁面支持部１４３、及び下側壁面支持部１４４とを主に備える。
【００２０】
上側立上支持部１３１は、パネルユニット１００が建築物１０に取り付けられた状態において重力方向上方に位置し、下側立上支持部１３４は重力方向下方に位置する。右側立上支持部１３２は、室内から室外に向かって見たときに、箱曲パネル１１０の中心に対して右側、つまり図１において箱曲パネル１１０の中心に対して左側に位置し、左側立上支持部１３３は、室内から室外に向かって見たときに、箱曲パネル１１０の中心に対して左側、つまり図１において箱曲パネル１１０の中心に対して右側に位置する。
【００２１】
上側立上支持部１３１、右側立上支持部１３２、左側立上支持部１３３、及び下側立上支持部１３４は、接続部材１２２からパネルユニット１００の外周方向に向けて延びて、その先端が外周に沿うように直角に曲がるＬ字形状を有する。外周に沿って直角に曲がる部位は、各折曲板の裏面、すなわち内周側と面接触して各折曲板を支持する。より詳細には、上側立上支持部１３１は上側折曲板１１１の裏面１１１ｂに面接触して支持し、右側立上支持部１３２は右側折曲板１１２の裏面１１２ｂに面接触して支持し、左側立上支持部１３３は左側折曲板１１３の裏面１１３ｂに面接触して支持し、下側立上支持部１３４は下側折曲板１１４の裏面１１４ｂに面接触して支持する。そして、上側立上支持部１３１と上側折曲板１１１、右側立上支持部１３２と右側折曲板１１２、左側立上支持部１３３と左側折曲板１１３、及び下側立上支持部１３４と下側折曲板１１４は、リベット２００によって各々固定される。
【００２２】
上側立上支持部１３１及び接続部材１２２と上側折曲板１１１の裏面１１１ｂとの間には凹部が空けられ、この凹部にシール部材１７１が設けられる。シール部材１７１は、室内側に設けられるバックアップ材１７１ａと、凹部の外からバックアップ材１７１ａを覆うように設けられるシーリング１７１ｂとから成る。右側立上支持部１３２、左側立上支持部１３３、及び下側立上支持部１３４についても同様にシール部材１７１が設けられる。
【００２３】
上側立上支持部１３１、右側立上支持部１３２、左側立上支持部１３３、及び下側立上支持部１３４と同様にして、上側壁面支持部１４１は重力方向上方に位置し、下側壁面支持部１４４は重力方向下方に位置し、右側壁面支持部１４２は箱曲パネル１１０の中心に対して右側に位置し、左側壁面支持部１４３は左側に位置する。
【００２４】
上側壁面支持部１４１、右側壁面支持部１４２、左側壁面支持部１４３、及び下側壁面支持部１４４は、接続部材１２２からパネルユニット１００の軸方向に向けて延びて、その先端が軸に対して直角に曲がるＬ字形状を有する。軸に対して直角に曲がる部位は、壁面部１１５の裏面１１５ｂ、すなわち内周側と面接触して壁面部１１５を支持する。より詳細には、上側壁面支持部１４１は、パネルユニット１００が建築物１０に取り付けられた状態において裏面１１５ｂのうち鉛直上方部分に面接触し、右側壁面支持部１４２は、室内から室外に向かって見たときに裏面１１５ｂのうち右側部分に面接触し、左側壁面支持部１４３は、室内から室外に向かって見たときに裏面１１５ｂのうち左側部分に面接触し、下側壁面支持部１４４は、裏面１１５ｂのうち鉛直下方部分に面接触して、壁面部１１５を各々支持する。すなわち、下地枠１２０が、壁面部１１５の裏面１１５ｂ及び上側折曲板１１１、右側折曲板１１２、左側折曲板１１３、及び下側折曲板１１４の裏面１１１ｂ、１１２ｂ、１１３ｂ、１１４ｂと接触して箱曲パネル１１０を支持する。
【００２５】
上側壁面支持部１４１の先端１４１ａと壁面部１１５の裏面１１５ｂとの間にはシールポケット１５１が空けられ、二次止水を成す第１のシール部１７０がシールポケット１５１に設けられる。第１のシール部１７０は、凹部の奥に設けられるバックアップ材１７０ａと、凹部の外からバックアップ材１７０ａを覆うように設けられるシーリング１７０ｂとから成る。右側壁面支持部１４２、左側壁面支持部１４３、及び下側壁面支持部１４４についても同様にシールポケット１５２、１５３、１５４及び第１のシール部１７０が各々設けられる。
【００２６】
上側折曲板１１１の裏面１１１ｂと、壁面部１１５の裏面１１５ｂと、支持枠１３０との間に、上側排水路１６１が形成される。上側排水路１６１は、隣接する折曲部、すなわち上側折曲板１１１と右側排水路１６２との接合部と、上側折曲板１１１と左側折曲板１１３との接合部に面する。同様に、右側折曲板１１２については右側排水路１６２が形成され、左側折曲板１１３については左側排水路１６３が形成され、下側折曲板１１４については下側排水路１６４が形成される。上側排水路１６１及び下側排水路１６４は、それらの両端で右側排水路１６２及び左側排水路１６３に各々接続される。すなわち、箱曲パネル１１０の内周の全周及び支持枠１３０の全周に渡って排水路が設けられ、下側折曲板１１４に開口する排水口１８０に接続される。上側排水路１６１、右側排水路１６２、左側排水路１６３、及び下側排水路１６４は、第１のシール部１７０及びシール部材１７１によって止水される。
【００２７】
高さ方向に並べられたパネルユニット１００は、上下枠ユニットブラケット２２０により接続される。上下枠ユニットブラケット２２０は、Ｌ字型の金物であって、方立取付部２２１と、方立取付部２２１から二股に分かれる２本のパネル取付部２２２とを有する。パネル取付部２２２の１本は、上側のパネルユニット１００が有する枠部１２１の下側にネジで取り付けられる。他方のパネル取付部２２２は、下側のパネルユニット１００が有する枠部１２１の上側にネジで取り付けられる。これにより、高さ方向に並べられた２枚のパネルユニット１００が互いに接続及び固定される。そして、方立取付部２２１は、躯体に取り付けられた方立２１０の側面にネジで固定される。これにより、２枚のパネルユニット１００が方立２１０に接続及び固定される。
【００２８】
上側のパネルユニット１００の下側折曲板１１４と下側のパネルユニット１００の上側折曲板１１１との間に、バックアップ材及びシーリング２５０が設けられ、上側のパネルユニット１００の枠部１２１と下側のパネルユニット１００の枠部１２１との間に、バックアップ材及びシーリング２６０が設けられる。これにより、パネルユニット１００と躯体との間に雨水が浸入しない。
【００２９】
パネルユニット１００は、縦枠ユニットブラケット２３０を介して方立２１０に接続される。縦枠ユニットブラケット２３０は、高さ方向に延びる２本の枠部１２１の外側側面に取り付けられる。方立２１０は、内部にブラケット受２４０を備える。縦枠ユニットブラケット２３０は、ブラケット受２４０に鉛直上方から引っかけるようにして取り付けられ、固定される。これにより、パネルユニット１００が方立２１０に接続される。
【００３０】
次に、図４を用いて雨水の流れについて説明する。一般に、板を折り曲げて成型される箱曲パネルは、内部に雨水が浸入することを防止するため、折曲板どうしの接触部分を、溶接、あるいは充填材などを用いてシーリングして止水する必要がある。この場合、アルミ樹脂複合板などの金属樹脂複合板では、溶接により樹脂が溶けることを防ぐため、溶接でなくシーリングする必要がある。しかし、躯体からの力、金属樹脂複合板の熱変形による力、及び風力等の外力によって金属樹脂複合板が変形するため、折曲板どうしの間隔が絶えず変化して、シーリングが破断するおそれがある。また、シーリングの劣化による破断の可能性もある。一方、前述のようにコーナーピースを用いて補強すれば、シーリングを箱曲パネル１１０に密着させて充填度合いを向上させ、これにより破断可能性を低下させることができる。しかしながら、仮にシーリングが破断したときは、バックアップがないため内部に雨水が浸入することを完全に防止できない。
【００３１】
以下、上側折曲板１１１と左側折曲板１１３との接続部分に設けられたシール材及びコーナーピース１１６が破断し、雨水が浸入したとして説明する。上側折曲板１１１と左側折曲板１１３との接続部分から浸入した雨水は、上側排水路１６１を経て左側排水路１６３まで浸入する。さらに、雨水は左側排水路１６３内を鉛直下方に落下し、下側排水路１６４に達する。ここで、上側排水路１６１、左側排水路１６３、及び下側排水路１６４は第１のシール部１７０及びシール部材１７１によって止水されているため、上側排水路１６１、左側排水路１６３、及び下側排水路１６４から雨水は外部にしみ出さない。そして、下側排水路１６４に設けられた排水口１８０から雨水が外部に排出される。同様にして、上側折曲板１１１と右側折曲板１１２との接続部分から浸入した雨水、右側折曲板１１２と下側折曲板１１４との接続部分から浸入した雨水、及び左側折曲板１１３と下側折曲板１１４との接続部分から浸入した雨水も排水口１８０から外部に排出される。
【００３２】
本実施形態によれば、板状部材の縁を折り曲げて成る箱曲パネルユニットにおいて、建築躯体側に水が浸入することを防ぎ、かつ壁パネルの内側に浸入した水を適切に排水できるパネルユニットを得る。
【００３３】
また、折曲板どうしの接合部から箱曲パネル１１０の内部に雨水が浸入したとしても、雨水は排水路１６１−１６４を経由して排水口１８０から外部に排出される。さらに、排水路１６１−１６４は第１のシール部１７０及びシール部材１７１によって止水されているため、雨水は排水路１６１−１６４から外部にしみ出すことなく排水口１８０に達する。これにより、パネルユニット１００の止水性能が向上して、折曲板どうしの接合部から浸入した雨水は、躯体に達することがない。
【００３４】
パネルユニット１００の形状は前述のものに限定されず、菱形、平行四辺形、多角形、円、楕円、または他の形状であってもよい。下地枠１２０の形状は前述のものに限定されず、箱曲パネル１１０との間に排水路を形成可能な形状であればよい。
【００３５】
下地枠１２０が、壁面部１１５の裏面１１５ｂ、及び上側折曲板１１１、右側折曲板１１２、左側折曲板１１３、及び下側折曲板１１４の裏面１１１ｂ、１１２ｂ、１１３ｂ、１１４ｂの全てと接触して箱曲パネル１１０を支持すると説明したが、下地枠１２０は、壁面部１１５の裏面１１５ｂ、及び上側折曲板１１１、右側折曲板１１２、左側折曲板１１３、及び下側折曲板１１４の裏面１１１ｂ、１１２ｂ、１１３ｂ、１１４ｂの全てと接触する必要はなく、また、これらのうち少なくとも一つを介して箱曲パネル１１０を支持すればよい。
【００３６】
方立２１０、接続アングル２２０、及び縦枠ユニットブラケット２３０は設けられなくてもよい。この場合、パネルユニット１００は建築物１０の躯体に直接取り付けられてもよい。
【００３７】
接続部材１２２は設けられなくてもよい。この場合、支持枠１３０は下地枠１２０に直接接続される。支持枠１３０は、枠部１２１の全周に渡って設けられなくてもよい。また、下地枠１２０は、枠部１２１の全周に渡って設けられなくてもよく、箱曲パネル１１０を方立２１０に取り付け可能な形状であればよい。例えば、鉛直上方及び下方のみの部位によって、あるいは左右のみの部位によって下地枠１２０が構成されてもよい。
【００３８】
排水路１６１−１６４は全て設けられなくてもよく、一部のみ設けられてもよい。特に、上側排水路１６１は設けられなくてもよい。また、排水口１８０は下側折曲板１１４でなく、右側折曲板１１２及び／又は左側折曲板１１３に設けられてもよい。この場合、排水口１８０は右側折曲板１１２及び／又は左側折曲板１１３の重力方向下側に設けられることが好ましい。
【００３９】
第１のシール部１７０はシールポケット１５１に設けられなくてもよく、少なくとも排水路１６１−１６４を外部から止水可能な位置に設けられればよい。例えば、上側壁面支持部１４１が裏面１１５ｂに面接触して支持すると説明したが、これらが面接触する部位の間に第１のシール部１７０が設けられてもよい。右側壁面支持部１４２、左側壁面支持部１４３、及び下側壁面支持部１４４についても同様である。
【００４０】
シール部材１７１は前述の位置に設けられなくてもよく、少なくとも排水路１６１−１６４を外部から止水可能な位置に設けられればよい。例えば、上側立上支持部１３１が上側折曲板１１１の裏面１１１ｂに面接触して支持すると説明したが、これらが面接触する部位の間にシール部材１７１が設けられてもよい。右側立上支持部１３２、左側立上支持部１３３、及び下側立上支持部１３４についても同様である。
【００４１】
シール材及びコーナーピース１１６、第１のシール部１７０、シール部材１７１、バックアップ材及びシーリング２５０、２６０の構成は前述のものに限定されず、一般的又は特殊なバックアップ材又はシーリングのみ、あるいは他の部材から成るものであってもよい。また、コーナーピースは設けられなくてもよい。
【００４２】
なお、本明細書および図中に示した各部材の大きさは例示であって、これらの大きさに限定されない。また、各部材の素材は例示であって、これらの素材に限定されない。
【００４３】
ここに付随する図面を参照して本発明の実施形態が説明されたが、記載された発明の範囲と精神から逸脱することなく、変形が各部の構造と関係に施されることは、当業者にとって自明である。
【図１】
2018204371.tif 000003
【図２】
2018204371.tif 000004
【図３】
2018204371.tif 000005
【図４】
2018204371.tif 000006